(57)【要約】【課題】  組み立て性に優れたレンズ組立体および撮像装置を提供する。【解決手段】  鏡筒１５の内壁面１５ｂ，１５ｃ，１５ｄ側および壁面１５ｅ側を加工することにより形成された、鏡筒１５の対物側開口１５＿１と結像側開口１５＿２との間を貫通する通気用溝１５ｂ１，１５ｃ１，１５ｄ１，１５ｅ１を設け、Ｏリング１６が嵌装された第１群の撮影レンズ１１を鏡筒１５に装入するにあたり、鏡筒１５内に存在する空気を、これらの通気用溝１５ｂ１，１５ｃ１，１５ｄ１，１５ｅ１を経由して鏡筒１５の結像側開口１５＿２から押し出す。【選択図】  図２
2009244786.tif 000002
【特許請求の範囲】
【請求項１】
複数の光学部材と、対物側開口と結像側開口とを有する中空形状であって該複数の光学部材が対物側ほど後に装入されるように順次に装入されてなる鏡筒とを備え、
前記複数の光学部材のうちの最も対物側に配置される対物側光学部材の装入前において、前記複数の光学部材のうちの該対物側光学部材を除く光学部材と該鏡筒内壁面との間に、前記対物側開口と結像側開口との間に貫通する通気用溝を有することを特徴とするレンズ組立体。
【請求項２】
前記対物側光学部材外周面と前記鏡筒内壁面との間に配置されたＯリングを有することを特徴とする請求項１記載のレンズ組立体。
【請求項３】
前記結像側開口が、前記複数の光学部材のうちの最も結像側に寄った結像側光学部材の外径よりも小径のものであって、前記鏡筒が、該結像側開口の内側に、該結像側光学部材の結像側壁面の周縁の環状領域に接する壁面を有し、該壁面と該結像側光学部材の環状領域に、該結像側光学部材が特定の回転位置にあったときにのみ連通する通気孔が分担して形成されるとともに、
前記結像側光学部材が、前記結像側開口から差し込まれて前記結像側光学部材を回転させる治具の先端が挿入される回転用穴を有することを特徴とする請求項１又は２記載のレンズ組立体。
【請求項４】
請求項１から３のうちいずれか１項記載のレンズ組立体と、撮像素子とを備えたことを特徴とする撮像装置。
【発明の詳細な説明】
【技術分野】
【０００１】
本発明は、複数の光学部材と、これら複数の光学部材が装入されてなる鏡筒とを備えたレンズ組立体、および撮像装置に関する。
【背景技術】
【０００２】
従来より、複数の撮影レンズと、これら複数の撮影レンズが装入されてなる鏡筒とを備えたレンズ組立体が知られている。
【０００３】
図１２は、従来のレンズ組立体の、撮影レンズの光軸を含む断面を示す図、図１３は、図１２に示すレンズ組立体の、撮影レンズと間隔環と鏡筒とが互いに密着している部分を拡大して示す断面図である。
【０００４】
図１２には、被写体光Ａが入射される側から順に、レンズ組立体１００を構成する第１群の撮影レンズ１０１と、第２群の撮影レンズ１０２と、第３群の撮影レンズ１０３とが示されている。第２群の撮影レンズ１０２と第３群の撮影レンズ１０３との間には、これら第２群，第３群の撮影レンズ１０２，１０３どうしの間隔を規制する間隔環１０４が配備されている。また、図１１には、第１群，第２群，第３群の撮影レンズ１０１，１０２，１０３および間隔環１０４が装入されてなる鏡筒１０５と、第１群の撮影レンズ１０１と鏡筒１０５との間に配置されたＯリング１０６が示されている。
【０００５】
詳細には、図１３に示すように、第１群の撮影レンズ１０１は外周面１０１ａを有するとともに、鏡筒１０５は内壁面１０５ａを有する。Ｏリング１０６は、外周面１０１ａに嵌装され、これら外周面１０１ａと内壁面１０５ａとで押圧された状態で配置されている。このＯリング１０６は、第１群の撮影レンズ１０１が鏡筒１０５に装入された後で防水性能を発揮するゴム状の部材である。
【０００６】
また、第２群の撮影レンズ１０２は外周面１０２ａを有するとともに、鏡筒１０５は内壁面１０５ｂを有する。第２群の撮影レンズ１０２は、この第２群の撮影レンズ１０２の外周面１０２ａが、鏡筒１０５の内壁面１０５ｂに密着した状態で装入されている。さらに、間隔環１０４は外周面１０４ａを有するとともに鏡筒１０５は内壁面１０５ｃを有し、間隔環１０４は、この間隔環１０４の外周面１０４ａが、鏡筒１０５の内壁面１０５ｃに密着した状態で装入されている。また、第３群の撮影レンズ１０３は外周面１０３ａを有するとともに鏡筒１０５は内壁面１０５ｄを有し、第３群の撮影レンズ１０３は、この第３群の撮影レンズ１０３の外周面１０３ａが、鏡筒１０５の内壁面１０５ｄに密着した状態で装入されている。また、第３群の撮影レンズ１０３の結像側壁面の周縁の環状領域１０３ｂと、鏡筒１０５の壁面１０５ｅも密着した状態で装入されている。
【０００７】
レンズ組立体１００を組み立てる場合は、先ず、第３群の撮影レンズ１０３を鏡筒１０５に装入する。次いで、間隔環１０４を鏡筒１０５に装入し、さらに第２群の撮影レンズ１０２を鏡筒１０５に装入する。次いで第１群の撮影レンズ１０１の外周面１０１ａにＯリング１０６を嵌装し、最後にこの第１群の撮影レンズ１０１を鏡筒１０５に装入する。このようにして、第１群の撮影レンズ１０１の外周面１０１ａとＯリング１０６との密着性および鏡筒１０５の内壁面１０５ａとＯリング１０６との密着性が確保されたレンズ組立体１００を組み立てる。
【０００８】
ここで、特許文献１には、撮影レンズの外周面と鏡筒の内壁面との間に配置されたＯリングを押圧した状態で、鏡筒の先端の突起を熱溶着により撮影レンズの前面側にかしめる技術が提案されている。
【特許文献１】特開２００２−９０６０３号公報
【発明の開示】
【発明が解決しようとする課題】
【０００９】
上述したように、レンズ組立体を組み立てる場合は、先ず第３群の撮影レンズを鏡筒に装入し、次いで間隔環を鏡筒に装入し、さらに第２群の撮影レンズを鏡筒に装入し、最後にＯリングが嵌装された第１群の撮影レンズを鏡筒に装入する。ここで、第３群の撮影レンズ，間隔環，第２群の撮影レンズを順次に鏡筒に装入した状態において、Ｏリングが嵌装された第１群の撮影レンズを鏡筒に装入しようとすると、既に鏡筒に装入されている第３群の撮影レンズ，間隔環，第２群の撮影レンズそれぞれの外周面と鏡筒の内壁面とは互いに密着した状態にあるため、鏡筒内に存在する空気は、この第１群の撮影レンズで押圧されて圧縮される。すると、第１群の撮影レンズは、この圧縮された空気で、装入しようとする方向とは逆の方向（鏡筒の対物側の方向）に押し戻されることとなる。このため、従来のレンズ組立体では、組み立て性が悪いという問題がある。
【００１０】
本発明は、上記事情に鑑み、組み立て性に優れたレンズ組立体および撮像装置を提供することを目的とする。
【課題を解決するための手段】
【００１１】
上記目的を達成する本発明のレンズ組立体は、
複数の光学部材と、対物側開口と結像側開口とを有する中空形状であってその複数の光学部材が対物側ほど後に装入されるように順次に装入されてなる鏡筒とを備え、
上記複数の光学部材のうちの最も対物側に配置される対物側光学部材の装入前において、上記複数の光学部材のうちのその対物側光学部材を除く光学部材とその鏡筒内壁面との間に、上記対物側開口と結像側開口との間に貫通する通気用溝を有することを特徴とする。
【００１２】
従来では、レンズ組立体の組み立てにあたり、例えば、第３群の撮影レンズ，間隔環，第２群の撮影レンズを鏡筒に装入した後に、Ｏリングが嵌装された第１群の撮影レンズを鏡筒に装入しようとすると、既に鏡筒に装入されている第３群の撮影レンズ，間隔環，第２群の撮影レンズそれぞれの外周面と鏡筒の内壁面とが互いに密着した状態にあるため、鏡筒内に存在する空気は第１群の撮影レンズで押圧されて圧縮され、第１群の撮影レンズは、装入しようとする方向とは逆の方向に押し戻されることとなる。従って、組み立て性が悪いという問題を抱えている。
【００１３】
本発明のレンズ組立体は、複数の光学部材のうちの最も対物側に配置される対物側光学部材の装入前において、これら複数の光学部材のうちのその対物側光学部材を除く光学部材とその鏡筒内壁面との間に、上記対物側開口と結像側開口との間に貫通する通気用溝を有するものである。このため、最も対物側に配置される対物側光学部材（例えば、第１群の撮影レンズ）を鏡筒に装入するにあたり、鏡筒内に存在する空気は、通気用溝を経由して鏡筒の結像側開口から押し出される。従って、鏡筒内に存在する空気が結像側開口から押し出されずに圧縮されて、上記対物側光学部材が装入しようとする方向とは逆の方向（鏡筒の対物側の方向）に押し戻されるようなことはなく、上記対物側光学部材を鏡筒に簡単に装入することができる。従って、組み立て性に優れたレンズ組立体を提供することができる。
【００１４】
ここで、上記対物側光学部材外周面と上記鏡筒内壁面との間に配置されたＯリングを有することが好ましい。
【００１５】
このようにすると、対物側光学部材外周面とＯリングとの密着性および鏡筒内壁面とＯリングとの密着性が確保されるため、防水性能を高めることができる。
【００１６】
また、上記結像側開口が、上記複数の光学部材のうちの最も結像側に寄った結像側光学部材の外径よりも小径のものであって、上記鏡筒が、その結像側開口の内側に、その結像側光学部材の結像側壁面の周縁の環状領域に接する壁面を有し、その壁面とその結像側光学部材の環状領域に、その結像側光学部材が特定の回転位置にあったときにのみ連通する通気孔が分担して形成されるとともに、
上記結像側光学部材が、上記結像側開口から差し込まれて上記結像側光学部材を回転させる治具の先端が挿入される回転用穴を有することも好ましい態様である。
【００１７】
このようにすると、レンズ組立体の組み立てにおいて、最も対物側に配置される対物側光学部材を鏡筒に装入するにあたり、鏡筒内に存在する空気を上記通気孔を経由して押し出すことができるため、この対物側光学部材を鏡筒に簡単に装入ことができる。その後、上記結像側光学部材を回転させることにより、上記通気孔を塞ぐことができるため、組み立てられたレンズ組立体内にゴミが侵入することを阻止することができる。
【００１８】
また、上記目的を達成する本発明の撮像装置は、上記レンズ組立体と、撮像装置とを備えたことを特徴とする。
【００１９】
本発明の撮像装置は、上記レンズ組立体を備えたものであるため、組み立て性に優れている。
【発明の効果】
【００２０】
本発明によれば、組み立て性に優れたレンズ組立体および撮像装置を提供することができる。
【発明を実施するための最良の形態】
【００２１】
以下、図面を参照して本発明の実施の形態を説明する。
【００２２】
図１は、本発明の第１実施形態のレンズ組立体の、撮影レンズの光軸を含む断面を示す図、図２は、図１に示すレンズ組立体の、撮影レンズと間隔環と鏡筒とが互いに密着している部分を拡大して示す断面図である。
【００２３】
図１に示す第１実施形態のレンズ組立体１０には、被写体光Ａが入射する側から順に、第１群の撮影レンズ１１と、第２群の撮影レンズ１２と、第３群の撮影レンズ１３とが備えられている。また、第２群の撮影レンズ１２と第３群の撮影レンズ１３との間には、これら第２群，第３群の撮影レンズ１２，１３どうしの間隔を規制する間隔環１４が配備されている。これら第１群，第２群，第３群の撮影レンズ１１，１２，１３および間隔環１４が、本発明にいう複数の光学部材の一例に相当する。
【００２４】
また、このレンズ組立体１０には、第１群，第２群，第３群の撮影レンズ１１，１２，１３および間隔環１４が装入されてなる鏡筒１５が備えられている。この鏡筒１５は、対物側開口１５＿１と結像側開口１５＿２とを有する中空形状のものである。
【００２５】
さらに、このレンズ組立体１０には、第１群の撮影レンズ１１と鏡筒１５との間に配置されたＯリング１６が備えられている。
【００２６】
詳細には、図２（ａ）に示すように、第１群の撮影レンズ１１は外周面１１ａを有するとともに、鏡筒１５は内壁面１５ａを有する。Ｏリング１６は、外周面１１ａに嵌装され、これら外周面１１ａと内壁面１５ａとで押圧された状態で配置されている。このＯリング１６は、第１群の撮影レンズ１１が鏡筒１５に装入された後で防水性能を発揮するゴム状の部材である。
【００２７】
また、第２群の撮影レンズ１２は外周面１２ａを有するとともに、鏡筒１５は内壁面１５ｂを有する。ここで、図２（ａ）のＡＡ断面である図２（ｂ）にも示すように、第２群の撮影レンズ１２の外周面１２ａと鏡筒１５の内壁面１５ｂとの間に、対物側開口１５＿１と結像側開口１５＿２との間において空気を通過させる通気用溝１５ｂ１を有する。この通気用溝１５ｂ１は、鏡筒１５の内壁面１５ｂ側を加工する（削る）ことにより形成されている。
【００２８】
さらに、間隔環１４は外周面１４ａを有するとともに、鏡筒１５は内壁面１５ｃを有する。ここで、間隔環１４の外周面１４ａと鏡筒１５の内壁面１５ｃとの間に、対物側開口１５＿１と結像側開口１５＿２との間において空気を通過させる通気用溝１５ｃ１を有する。この通気用溝１５ｃ１は、鏡筒１５の内壁面１５ｃ側を加工することにより形成されている。
【００２９】
また、第３群の撮影レンズ１３は外周面１３ａを有するとともに、鏡筒１５は内壁面１５ｄを有する。ここで、第３群の撮影レンズ１３の外周面１３ａと鏡筒１５の内壁面１５ｄとの間に、対物側開口１５＿１と結像側開口１５＿２との間において空気を通過させる通気用溝１５ｄ１を有する。この通気用溝１５ｄ１は、鏡筒１５の内壁面１５ｄ側を加工することにより形成されている。
【００３０】
さらに、鏡筒１５が有する結像側開口１５＿２は、第３群の撮影レンズ１３の外径よりも小径のものであって、この鏡筒１５は、結像側開口１５＿２の内側に、第３群の撮影レンズ１３の結像側壁面の周縁の環状領域１３ｂに接する壁面１５ｅを有する。ここで、図２（ａ）のＢＢ断面である図２（ｃ）にも示すように、第３群の撮影レンズ１３の環状領域１３ｂと鏡筒１５の壁面１５ｅとの間に、対物側開口１５＿１と結像側開口１５＿２との間において空気を通過させる通気用溝１５ｅ１を有する。この通気用溝１５ｅ１は、鏡筒１５の壁面１５ｅ側を加工することにより形成されている。
【００３１】
レンズ組立体１０を組み立てる場合は、先ず、第３群の撮影レンズ１３を鏡筒１５に装入する。次いで、間隔環１４および第２群の撮影レンズ１２を順次に鏡筒１５に装入する。さらに、防水性能を発揮するＯリング１６を第１群の撮影レンズ１１の外周面１１ａに嵌装し、このＯリング１６が嵌装された第１群の撮影レンズ１１を鏡筒１５に装入する。第１群の撮影レンズ１１を鏡筒１５に収容した後で、鏡筒１５の前端を熱カシメによって、変形させ、第１群の撮影レンズ１１を保持する。
【００３２】
ここで、上述したように、第２群の撮影レンズ１２の外周面１２ａと鏡筒１５の内壁面１５ｂとの間には通気用溝１５ｂ１が設けられている。また、間隔環１４の外周面１４ａと鏡筒１５の内壁面１５ｃとの間にも通気用溝１５ｃ１が設けられている。さらに、第３群の撮影レンズ１３の外周面１３ａと鏡筒１５の内壁面１５ｄとの間には通気用溝１５ｄ１が設けられているとともに、第３群の撮影レンズ１３の環状領域１３ｂと鏡筒１５の壁面１５ｅとの間にも通気用溝１５ｅ１が設けられている。
【００３３】
このように、第１実施形態のレンズ組立体１０では、鏡筒１５の内壁面１５ｂ，１５ｃ，１５ｄ側および壁面１５ｅ側を加工することにより形成された、鏡筒１５の対物側開口１５＿１と結像側開口１５＿２との間を貫通する通気用溝１５ｂ１，１５ｃ１，１５ｄ１，１５ｅ１が設けられている。このため、第１群の撮影レンズ１１を鏡筒１５に装入するにあたり、鏡筒１５内に存在する空気は、これらの通気用溝１５ｂ１，１５ｃ１，１５ｄ１，１５ｅ１を経由して鏡筒１５の結像側開口１５＿２から押し出される。従って、従来の、第３群の撮影レンズ，間隔環，第２群の撮影レンズそれぞれの外周面と鏡筒の内壁面とが互いに密着した状態にあるレンズ組立体と比較し、鏡筒内に存在する空気が結像側開口から押し出されずに圧縮されて、第１群の撮影レンズが装入しようとする方向とは逆の方向（鏡筒の対物側の方向）に押し戻されるようなことはなく、第１群の撮影レンズ１１を鏡筒１５に簡単に装入することができる。従って、組み立て性に優れたレンズ組立体１０を提供することができる。
【００３４】
図３は、本発明の第２実施形態のレンズ組立体の、撮影レンズの光軸を含む断面を示す図、図４は、図３に示すレンズ組立体の、撮影レンズと間隔環と鏡筒とが互いに密着している部分を拡大して示す断面図である。
【００３５】
尚、図１，図２に示すレンズ組立体１０の構成要素と同じ構成要素には同じ符号を付して説明する。
【００３６】
図３に示す第２実施形態のレンズ組立体２０には、被写体光Ａが入射する側から順に、第１群の撮影レンズ１１と、第２群の撮影レンズ２２と、第３群の撮影レンズ２３とが備えられている。また、第２群の撮影レンズ２２と第３群の撮影レンズ２３との間には、これら第２群，第３群の撮影レンズ２２，２３どうしの間隔を規制する間隔環２４が配備されている。これら第１群，第２群，第３群の撮影レンズ１１，２２，２３および間隔環２４が、本発明にいう複数の光学部材の他の一例に相当する。
【００３７】
また、このレンズ組立体２０には、第１群，第２群，第３群の撮影レンズ１１，２２，２３および間隔環２４が装入されてなる鏡筒２５が備えられている。この鏡筒２５は、対物側開口２５＿１と結像側開口２５＿２とを有する中空形状のものである。
【００３８】
さらに、このレンズ組立体２０には、第１群の撮影レンズ１１と鏡筒２５との間に配置されたＯリング１６が備えられている。
【００３９】
詳細には、図４に示すように、第１群の撮影レンズ１１は外周面１１ａを有するとともに、鏡筒２５は内壁面２５ａを有する。Ｏリング１６は、外周面１１ａに嵌装され、これら外周面１１ａと内壁面２５ａとで押圧された状態で配置されている。
【００４０】
また、第２群の撮影レンズ２２は外周面２２ａを有するとともに、鏡筒２５は内壁面２５ｂを有する。ここで、図４（ａ）のＡＡ断面である図４（ｂ）にも示すように、第２群の撮影レンズ２２の外周面２２ａと鏡筒２５の内壁面２５ｂとの間に、対物側開口２５＿１と結像側開口２５＿２との間において空気を通過させる通気用溝２２ａ１を有する。この通気用溝２２ａ１は、第２群の撮影レンズ２２の外周面２２ａ側を加工することにより形成されている。
【００４１】
さらに、間隔環２４は外周面２４ａを有するとともに、鏡筒２５は内壁面２５ｃを有する。ここで、間隔環２４の外周面２４ａと鏡筒２５の内壁面２５ｃとの間に、対物側開口２５＿１と結像側開口２５＿２との間において空気を通過させる通気用溝２４ａ１を有する。この通気用溝２４ａ１は、間隔環２４の外周面２４ａ側を加工することにより形成されている。
【００４２】
また、第３群の撮影レンズ２３は外周面２３ａを有するとともに、鏡筒２５は内壁面２５ｄを有する。ここで、第３群の撮影レンズ２３の外周面２３ａと鏡筒２５の内壁面２５ｄとの間に、対物側開口２５＿１と結像側開口２５＿２との間において空気を通過させる通気用溝２３ａ１を有する。この通気用溝２３ａ１は、第３群の撮影レンズ２３の外周面２３ａ側を加工することにより形成されている。
【００４３】
さらに、鏡筒２５が有する結像側開口２５＿２は、第３群の撮影レンズ２３の外径よりも小径のものであって、この鏡筒２５は、結像側開口２５＿２の内側に、第３群の撮影レンズ２３の結像側壁面の周縁の環状領域２３ｂに接する壁面２５ｅを有する。ここで、第３群の撮影レンズ２３の環状領域２３ｂと鏡筒２５の壁面２５ｅとの間に、対物側開口２５＿１と結像側開口２５＿２との間において空気を通過させる、図４（ａ）のＢＢ断面である図４（ｃ）にも示す通気用溝２３ｂ１を有する。この通気用溝２３ｂ１は、第３群の撮影レンズ２３の環状領域２３ｂ側を加工することにより形成されている。
【００４４】
レンズ組立体２０を組み立てる場合は、先ず、第３群の撮影レンズ２３を鏡筒２５に装入する。次いで、間隔環２４および第２群の撮影レンズ２２を順次に鏡筒２５に装入する。さらに、防水性能を発揮するＯリング１６を第１群の撮影レンズ１１の外周面１１ａに嵌装し、このＯリング１６が嵌装された第１群の撮影レンズ１１を鏡筒２５に装入する。
【００４５】
ここで、上述したように、第２群の撮影レンズ２２の外周面２２ａと鏡筒２５の内壁面２５ｂとの間には通気用溝２２ａが設けられている。また、間隔環２４の外周面２４ａと鏡筒２５の内壁面２５ｃとの間にも通気用溝２４ａ１が設けられている。さらに、第３群の撮影レンズ２３の外周面２３ａと鏡筒２５の内壁面２５ｄとの間には通気用溝２３ａ１が設けられているとともに、第３群の撮影レンズ２３の環状領域２３ｂと鏡筒２５の壁面２５ｅとの間にも通気用溝２３ｂ１が設けられている。
【００４６】
このように、第２実施形態のレンズ組立体２０では、第２群の撮影レンズ２２の外周面２２ａ側と、間隔環２４の外周面２４ａ側と、第３群の撮影レンズ２３の外周面２３ａ側および環状領域２３ｂ側を加工することにより形成された、鏡筒２５の対物側開口２５＿１と結像側開口２５＿２との間を貫通する通気用溝２２ａ１，２４ａ１，２３ａ１，２３ｂ１が設けられている。このため、第１群の撮影レンズ１１を鏡筒２５に装入するにあたり、鏡筒２５内に存在する空気は、これらの通気用溝２２ａ１，２４ａ１，２３ａ１，２３ｂ１を経由して鏡筒２５の結像側開口２５＿２から押し出される。従って、第１群の撮影レンズ１１を鏡筒２５に簡単に装入することができ、レンズ組立体２０の組み立て性を高めることができる。
【００４７】
図５は、本発明の第３実施形態のレンズ組立体の、撮影レンズの光軸を含む断面を示す図、図６は、図５に示すレンズ組立体の、第３群の撮影レンズと鏡筒とが互いに密着している部分を拡大して示す断面図である。
【００４８】
尚、図３，図４に示すレンズ組立体２０の構成要素と同じ構成要素には同じ符号を付して説明する。
【００４９】
図５，図６に示すレンズ組立体３０は、図３，図４に示すレンズ組立体２０と比較し、図３，図４に示す第３群の撮影レンズ２３と鏡筒２５が、以下に説明する第３群の撮影レンズ３３と鏡筒３５に置き換えられている。
【００５０】
第３群の撮影レンズ３３は、図６に示すように、外周面３３ａを有する。また、鏡筒３５は内壁面３５ａを有する。さらに、第３群の撮影レンズ３３の外周面３３ａと鏡筒３５の内壁面３５ａとの間に、対物側開口３５＿１と結像側開口３５＿２との間において空気を通過させる通気用溝３３ａ１を有する。この通気用溝３３ａ１は、第３群の撮影レンズ３３の外周面３３ａ側を加工することにより形成されている。
【００５１】
さらに、鏡筒３５が有する結像側開口３５＿２は、第３群の撮影レンズ３３の外径よりも小径のものであって、この鏡筒３５は、結像側開口３５＿２の内側に、第３群の撮影レンズ３３の結像側壁面の周縁の上部環状領域３３ｂに接する上部壁面３５ｂを有する。これら上部環状領域３３ｂと上部壁面３５ｂとの間に、対物側開口３５＿１と結像側開口３５＿２との間において空気を通過させる第１の通気孔３３ｂ１を有する。この第１の通気孔３３ｂ１は、第３群の撮影レンズ３３の上部環状領域３３ｂ側を加工することにより形成されており、上記通気用溝３３ａ１と連通している。
【００５２】
また、この鏡筒３５は、結像側開口３５＿２の内側に、第３群の撮影レンズ３３の結像側壁面の周縁の下部環状領域３３ｃに接する下部壁面３５ｃを有する。これら下部環状領域３３ｃと下部壁面３５ｃとの間に、対物側開口３５＿１と結像側開口３５＿２との間において空気を通過させる第２の通気孔３５ｃ１を有する。この第２の通気孔３５ｃ１は、鏡筒３５の下部壁面３５ｃ側を加工することにより形成されている。
【００５３】
このように、鏡筒３５の壁面（上部壁面３５ｂおよび下部壁面３５ｃ）と、第３群の撮影レンズ３３の環状領域（上部環状領域３３ｂおよび下部環状領域３３ｃ）に、対物側開口３５＿１と結像側開口３５＿２との間において空気を通過させる通気用溝である第１の通気孔３３ｂ１と第２の通気孔３５ｃ１とが分担して形成されている。これら第１の通気孔３３ｂ１と第２の通気孔３５ｃ１は、第３群の撮影レンズ３３が特定の回転位置にあったときにのみ連通する通気孔である。
【００５４】
レンズ組立体３０を組み立てる場合は、先ず、第３群の撮影レンズ３３を鏡筒３５に装入し、次いで間隔環２４および第２群の撮影レンズ２２を順次に鏡筒３５に装入し、さらにＯリング１６が嵌装された第１群の撮影レンズ１１を鏡筒３５に装入する。ここでは、第３群の撮影レンズ３３は特定の回転位置にある。このため、上記第１の通気孔３３ｂ１と第２の通気孔３５ｃ１は連通しており、鏡筒３５内に存在する空気は、前述した通気用溝２２ａ１，２４ａ１、および上記通気用溝３３ａ１と上記通気孔３３ｂ１，３５ｃ１を経由して鏡筒３５の結像側開口３５＿２から押し出される。従って、第１群の撮影レンズ１１を鏡筒３５に簡単に装入することができる。
【００５５】
さらに、第３群の撮影レンズ３３は、治具の先端が挿入される回転用穴３３ｄを有する。この回転用穴３３ｄは、第１群の撮影レンズ１１が鏡筒３５に装入された後に、結像側開口３５＿２から差し込まれて、第３群の撮影レンズ３３を回転させるためのものである。
【００５６】
図７は、図５，図６に示すレンズ組立体の、第３群の撮影レンズが有する回転孔に治具の先端を挿入して第３群の撮影レンズを回転させる様子を示す図である。
【００５７】
図７に示すレンズ組立体３０を構成する第３群の撮影レンズ３３の回転用孔３３ｄに、治具９０の先端を挿入し、この治具９０を上記特定の回転位置から所定の回転位置まで回転する。すると、図６に示す第１の通気孔３３ｂ１と第２の通気孔３５ｃ１との連通がなくなり、従って第１の通気孔３３ｂ１と第２の通気孔３５ｃ１とによる通気孔が塞がれることとなる。このようにすることにより、レンズ組立体３０内にゴミが侵入することを阻止することができる。
【００５８】
図８は、本発明の第４実施形態のレンズ組立体の、第３群の撮影レンズと鏡筒とが互いに密着している部分を拡大して示す断面図である。
【００５９】
尚、図８に示すレンズ組立体４０の、撮影レンズの光軸を含む断面図は、図５に示すレンズ組立体３０の、撮影レンズの光軸を含む断面図と同じであるため、図示省略する。
【００６０】
図８に示すレンズ組立体４０を構成する第３群の撮影レンズ４３は外周面４３ａを有するとともに鏡筒４５は内壁面４５ａを有する。これら外周面４３ａと内壁面４５ａとの間に、空気を通過させる通気用溝４３ａ１を有する。この通気用溝４３ａ１は、第３群の撮影レンズ４３の外周面４３ａ側を加工することにより形成されている。
【００６１】
また、鏡筒４５は、結像側開口４５＿２の内側に、第３群の撮影レンズ４３の結像側壁面の周縁の上部環状領域４３ｂに接する上部壁面４５ｂを有する。これら上部環状領域４３ｂと上部壁面４５ｂとの間に、空気を通過させる第１の通気孔４５ｂ１を有する。この第１の通気孔４５ｂ１は、鏡筒４５の上部壁面４５ｂ側を加工することにより形成されている。
【００６２】
また、この鏡筒４５は、結像側開口４５＿２の内側に、第３群の撮影レンズ４３の結像側壁面の周縁の下部環状領域４３ｃに接する下部壁面４５ｃを有する。これら下部環状領域４３ｃと下部壁面４５ｃとの間に、空気を通過させる第２の通気孔４３ｃ１を有する。この第２の通気孔４３ｃ１は、第３群の撮影レンズ４３の下部環状領域４３ｃ側を加工することにより形成されている。また、第３群の撮影レンズ４３は、図６に示す回転用穴３３ｄと同じ役割を担う回転用穴４３ｄを有する。このため、レンズ組立体４０内にゴミが侵入することを阻止することができる。
【００６３】
前述した第３実施形態のレンズ組立体３０では、第３群の撮影レンズ３３が特定の回転位置にあったときにのみ連通する通気孔のうちの第１の通気孔３３ｂ１を第３群の撮影レンズ３３の上部環状領域３３ｂに形成するとともに第２の通気孔３５ｃ１を鏡筒３５の下部壁面３５ｃに形成する例で説明したが、これとは逆に、この第４実施形態のレンズ組立体４０のように、第３群の撮影レンズ４３が特定の回転位置にあったときにのみ連通する通気孔のうちの第１の通気孔４５ｂ１を鏡筒４５の上部壁面４５ｂに形成するとともに第２の通気孔４３ｃ１を第３群の撮影レンズ４３の下部環状領域４３ｃに形成してもよい。
【００６４】
図９は、本発明の第５実施形態のレンズ組立体の、第３群の撮影レンズと鏡筒とが互いに密着している部分を拡大して示す断面図である。
【００６５】
図９に示すレンズ組立体５０を構成する第３群の撮影レンズ５３は外周面５３ａを有するとともに鏡筒５５は内壁面５５ａを有する。これら外周面５３ａと内壁面５５ａとの間に、空気を通過させる通気用溝５５ａ１を有する。この通気用溝５５ａ１は、鏡筒５５の内壁面５５ａ側を加工することにより形成されている。
【００６６】
また、鏡筒５５は、結像側開口５５＿２の内側に、第３群の撮影レンズ５３の結像側壁面の周縁の上部環状領域５３ｂに接する上部壁面５５ｂを有する。これら上部環状領域５３ｂと上部壁面５５ｂとの間に、空気を通過させる第１の通気孔５３ｂ１を有する。この第１の通気孔５３ｂ１は、第３群の撮影レンズ５３の上部環状領域５３ｂ側を加工することにより形成されている。
【００６７】
また、この鏡筒５５は、結像側開口５５＿２の内側に、第３群の撮影レンズ５３の結像側壁面の周縁の下部環状領域５３ｃに接する下部壁面５５ｃを有する。これら下部環状領域５３ｃと下部壁面５５ｃとの間に、空気を通過させる第２の通気孔５５ｃ１を有する。この第２の通気孔５５ｃ１は、鏡筒５５の下部壁面５５ｃ側を加工することにより形成されている。また、第３群の撮影レンズ５３は、図６に示す回転用穴３３ｄと同じ役割を担う回転用穴５３ｄを有する。
【００６８】
第５実施形態のレンズ組立体５０では、鏡筒５５内に存在する空気は、通気用溝５５ａ１と、第１の通気孔５３ｂ１および第２の通気孔５５ｃ１を経由して鏡筒５５の結像側開口５５＿２から押し出される。従って、第１群の撮影レンズを鏡筒５５に簡単に装入することができる。このように、第３群の撮影レンズ５３の外周面５３ａと鏡筒５５の内壁面５５ａとの間に、鏡筒５５の内壁面５５ａ側を加工することにより通気用溝５５ａ１を形成するとともに、第３群の撮影レンズ５３が特定の回転位置にあったときにのみ連通する通気孔のうちの第１の通気孔５３ｂ１を、第３群の撮影レンズ３３の上部環状領域５３ｂを加工して形成し、且つ、鏡筒５５の下部壁面５５ｃを加工することにより第２の通気孔５５ｃ１を形成して、レンズ組立体５０の組み立て性を高めてもよい。
【００６９】
図１０は、本発明の第６実施形態のレンズ組立体の、第３群の撮影レンズと鏡筒とが互いに密着している部分を拡大して示す断面図である。
【００７０】
図１０に示すレンズ組立体６０を構成する第３群の撮影レンズ６３は外周面６３ａを有するとともに鏡筒６５は内壁面６５ａを有する。これら外周面６３ａと内壁面６５ａとの間に、空気を通過させる通気用溝６５ａ１を有する。この通気用溝６５ａ１は、鏡筒６５の内壁面６５ａ側を加工することにより形成されている。
【００７１】
また、鏡筒６５は、結像側開口６５＿２の内側に、第３群の撮影レンズ６３の結像側壁面の周縁の上部環状領域６３ｂに接する上部壁面６５ｂを有する。これら上部環状領域６３ｂと上部壁面６５ｂとの間に、空気を通過させる第１の通気孔６５ｂ１を有する。この第１の通気孔６５ｂ１は、鏡筒６５の上部壁面６５ｂ側を加工することにより形成されており、上記通気用溝６５ａ１と連通している。
【００７２】
また、この鏡筒６５は、結像側開口６５＿２の内側に、第３群の撮影レンズ６３の結像側壁面の周縁の下部環状領域６３ｃに接する下部壁面６５ｃを有する。これら下部環状領域６３ｃと下部壁面６５ｃとの間に、空気を通過させる第２の通気孔６３ｃ１を有する。この第２の通気孔６３ｃ１は、第３群の撮影レンズ６３の下部環状領域６３ｃ側を加工することにより形成されている。また、第３群の撮影レンズ６３は、図６に示す回転用穴３３ｄと同じ役割を担う回転用穴６３ｄを有する。
【００７３】
前述した第５実施形態のレンズ組立体５０では、第３群の撮影レンズ５３が特定の回転位置にあったときにのみ連通する通気孔のうちの第１の通気孔５３ｂ１を第３群の撮影レンズ５３の上部環状領域５３ｂに形成するとともに第２の通気孔５５ｃ１を鏡筒５５の下部壁面５５ｃに形成する例で説明したが、これとは逆に、この第６実施形態のレンズ組立体６０のように、第３群の撮影レンズ６３が特定の回転位置にあったときにのみ連通する通気孔のうちの第１の通気孔６５ｂ１を鏡筒６５の上部壁面６５ｂに形成するとともに第２の通気孔６３ｃ１を第３群の撮影レンズ６３の下部環状領域６３ｃに形成してもよい。
【００７４】
尚、レンズあるいは鏡筒をプラスチックで形成した場合は、成形時に「加工」された形状に形成できるので、「加工する」必要はない。
【００７５】
図１１は、図１に示すレンズ組立体を備えたカメラユニットの、断面図である。
【００７６】
図１１に示すカメラユニット７０は、本発明の撮像装置の一実施形態であり、このカメラユニット７０には、図１に示すレンズ組立体１０と、カメラ本体枠７１と、ＣＣＤ等の撮像素子７２を搭載した基板７３とが備えられている。
【００７７】
このカメラユニット７０を組み立てるには、カメラ本体枠７１にレンズ組立体１０を挿入し（鏡筒１５の外周面に形成した雄ネジ部とカメラ本体７１内の内周面に形成した雌ネジ部を螺合し）、レンズ組立体１０をカメラ本体枠７１に接着固定する。この際、レンズ枠の外周縁とカメラ本体枠７１の前端の間に接着剤を塗布することによって、前端側からカメラユニット７０の内部に水が入り込まないように、防水処理を行う。さらに、ＣＣＤ等の撮像素子７２を搭載した基板７３をカメラ本体枠７１に接着固定する。
【図面の簡単な説明】
【００７８】
【図１】本発明の第１実施形態のレンズ組立体の、撮影レンズの光軸を含む断面を示す図である。
【図２】図１に示すレンズ組立体の、撮影レンズと間隔環と鏡筒とが互いに密着している部分を拡大して示す断面図である。
【図３】本発明の第２実施形態のレンズ組立体の、撮影レンズの光軸を含む断面を示す図である。
【図４】図３に示すレンズ組立体の、撮影レンズと間隔環と鏡筒とが互いに密着している部分を拡大して示す断面図である。
【図５】本発明の第３実施形態のレンズ組立体の、撮影レンズの光軸を含む断面を示す図である。
【図６】図５に示すレンズ組立体の、第３群の撮影レンズと鏡筒とが互いに密着している部分を拡大して示す断面図である。
【図７】図５，図６に示すレンズ組立体の、第３群の撮影レンズが有する回転孔に治具の先端を挿入して第３群の撮影レンズを回転させる様子を示す図である。
【図８】本発明の第４実施形態のレンズ組立体の、第３群の撮影レンズと鏡筒とが互いに密着している部分を拡大して示す断面図である。
【図９】本発明の第５実施形態のレンズ組立体の、第３群の撮影レンズと鏡筒とが互いに密着している部分を拡大して示す断面図である。
【図１０】本発明の第６実施形態のレンズ組立体の、第３群の撮影レンズと鏡筒とが互いに密着している部分を拡大して示す断面図である。
【図１１】図１に示すレンズ組立体を備えたカメラユニットの、断面図である。
【図１２】従来のレンズ組立体の、撮影レンズの光軸を含む断面を示す図である。
【図１３】図１２に示すレンズ組立体の、撮影レンズと間隔環と鏡筒とが互いに密着している部分を拡大して示す断面図である。
【符号の説明】
【００７９】
１０，２０，３０，４０，５０，６０  レンズ組立体
１１  第１群の撮影レンズ
１１ａ，１２ａ，１３ａ，１４ａ，２２ａ，２４ａ，２３ａ，３３ａ，４３ａ，５３ａ，６３ａ  外周面
１２，２２  第２群の撮影レンズ
１３，２３，３３，４３，５３，６３  第３群の撮影レンズ
１３ｂ，２３ｂ  環状領域
１４，２４  間隔環
１５，２５，３５，４５，５５，６５  鏡筒
１５＿１，２５＿１，３５＿１  対物側開口
１５＿２，２５＿２，３５＿２，４５＿２，５５＿２，６５＿２  結像側開口
１５ａ，１５ｂ，１５ｃ，１５ｄ，２５ａ，２５ｂ，２５ｃ，２５ｄ，３５ａ，４５ａ，５５ａ，６５ａ  内壁面
１５ｂ１，１５ｃ１，１５ｄ１，１５ｅ１，２２ａ１，２３ａ１，２３ｂ１，２４ａ１，３３ａ１，４３ａ１，５５ａ１，６５ａ１  通気用溝
１５ｅ，２５ｅ  壁面
１６  Ｏリング
３３ｂ，４３ｂ，５３ｂ，６３ｂ  上部環状領域
３３ｂ１，４５ｂ１，５３ｂ１，６５ｂ１  第１の通気孔
３３ｃ，４３ｃ，５３ｃ，６３ｃ  下部環状領域
３３ｄ，４３ｄ，５３ｄ６６３ｃ１６３ｄ  回転用穴
３５ｂ，４５ｂ，５５ｂ，６５ｂ  上部壁面
３５ｃ，４５ｃ，５５ｃ，６５ｃ  下部壁面
３５ｃ１，４３ｃ１，５５ｃ１，６３ｃ１  第２の通気孔
７０  カメラユニット
７１  カメラ本体枠
７２  撮像素子
７３  基板
９０  治具
【図１】
2009244786.tif 000003
【図２】
2009244786.tif 000004
【図３】
2009244786.tif 000005
【図４】
2009244786.tif 000006
【図５】
2009244786.tif 000007
【図６】
2009244786.tif 000008
【図７】
2009244786.tif 000009
【図８】
2009244786.tif 000010
【図９】
2009244786.tif 000011
【図１０】
2009244786.tif 000012
【図１１】
2009244786.tif 000013
【図１２】
2009244786.tif 000014
【図１３】
2009244786.tif 000015